(57)【要約】【課題】外装筐体のカラーリング領域を容易に設定できるプロジェクターを提供する。【解決手段】プロジェクター１０は、外装筐体１２と、光を射出する光源部５２と、光を第１画像信号に基づいて変調し、第１変調光を生成する第１光変調部５４と、第１変調光をスクリーンＳＣに投写する第１投写部５６と、光を第２画像信号に基づいて変調し、第２変調光を生成する第２光変調部５８と、第２変調光を外装筐体１２に投写する第２投写部６０と、第２投写部６０が投写する投写領域を設定する投写領域設定部６２と、を備える。【選択図】図２
2016173453.tif 000002
【特許請求の範囲】
【請求項１】
筐体と、
光を射出する光源部と、
前記光を第１画像信号に基づいて変調し、第１変調光を生成する第１光変調部と、
前記第１変調光を投写面に投写する第１投写部と、
前記光を第２画像信号に基づいて変調し、第２変調光を生成する第２光変調部と、
前記第２変調光を前記筐体に投写する第２投写部と、
前記第２投写部が投写する投写領域を設定する設定部と、を備えることを特徴とする投
写装置。
【請求項２】
請求項１に記載の投写装置において、
光を反射する反射部材を備え、
前記設定部は、前記反射部材が前記第２変調光を反射する角度を切り替えることにより
、前記投写領域を設定することを特徴とする投写装置。
【請求項３】
請求項１乃至２のいずれかに記載の投写装置において、
前記筐体は透光性を有し、投写された前記第２変調光を透光することを特徴とする投写
装置。
【請求項４】
請求項１乃至３のいずれか１項に記載の投写装置において、
前記第１光変調部および前記第２光変調部は一体に形成されていることを特徴とする投
写装置。
【請求項５】
請求項１乃至４のいずれか１項に記載の投写装置において、
前記筐体を指示する指示位置を検出する検出部と
前記検出部が検出した前記指示位置に基づいて描画オブジェクトを生成する生成部と、
前記生成部が生成した前記描画オブジェクトの画像信号を前記第２画像信号として前記
第２変調光を前記筐体に投写させる制御部と、を備えることを特徴とする投写装置。
【請求項６】
請求項１乃至５のいずれか１項に記載の投写装置において、
前記筐体の内部の温度を検出する温度検出部を備え、
前記温度検出部は、検出した温度が基準範囲を超える場合、前記第２投写部に警告を示
す情報を前記筐体に投写させることを特徴とする投写装置。
【請求項７】
請求項１乃至６のいずれか１項に記載の投写装置において、
計時する計時部を備え、
前記計時部は、前記第２投写部に時間に関する情報を前記筐体に投写させることを特徴
とする投写装置。
【発明の詳細な説明】
【技術分野】
【０００１】
本発明は、投写装置に関する。
【背景技術】
【０００２】
コンテンツ等の画像を投写する装置の一形態として、光源から射出された射出光を、光
変調装置で画像信号に応じて変調し、この変調光をスクリーン等に拡大して投写するプロ
ジェクターが知られている。
このようなプロジェクターは、通常、外装筐体のカラーリングを数種類に限定して製造
されるが、下記特許文献１に示すように、外装筐体を変調光が透光することにより、所望
の変調光で外装筐体をカラーリング可能なプロジェクターが開示されている。
【先行技術文献】
【特許文献】
【０００３】
【特許文献１】特開２０１４−５６０７１号公報
【発明の概要】
【発明が解決しようとする課題】
【０００４】
しかしながら、上述のプロジェクターは、光変調装置で変調されて射出された変調光を
導光部で導光し、外装筐体において導光部により規定される領域を変調光が透光するため
、カラーリングされる領域が固定され、カラーリングするデザインの自由度が制限された
。
【課題を解決するための手段】
【０００５】
本発明は、上述の課題の少なくとも一部を解決するためになされたものであり、以下の
形態又は適用例として実現することが可能である。
【０００６】
［適用例１］
本適用例にかかる投写装置は、筐体と、光を射出する光源部と、前記光を第１画像信号
に基づいて変調し、第１変調光を生成する第１光変調部と、前記第１変調光を投写面に投
写する第１投写部と、前記光を第２画像信号に基づいて変調し、第２変調光を生成する第
２光変調部と、前記第２変調光を前記筐体に投写する第２投写部と、前記第２投写部が投
写する投写領域を設定する設定部と、を備えることを特徴とする。
【０００７】
このような構成によれば、光源部が射出した光を第２画像信号に基づいて変調して第２
変調光を生成し、設定部が設定した筐体の投写領域を第２変調光で投写する。従って、設
定部を介して第２変調光で筐体を投写する投写領域を設定できるため、投写装置の筐体に
カラーリングする場合、デザインの自由度を向上させることができる。
【０００８】
［適用例２］
上記適用例にかかる投写装置において、光を反射する反射部材を備え、前記設定部は、
前記反射部材が前記第２変調光を反射する角度を切り替えることにより、前記投写領域を
設定することが好ましい。
【０００９】
このような構成によれば、第２変調光が反射部材で反射する角度を切り替えることで、
第２変調光が投写する筐体の投写領域を容易に設定できる。
【００１０】
［適用例３］
上記適用例にかかる投写装置において、前記筐体は透光性を有し、投写された前記第２
変調光を透光することが好ましい。
【００１１】
このような構成によれば、筐体を透光する第２変調光の視認性が向上し、カラーリング
効果を高めることができる。
【００１２】
［適用例４］
上記適用例にかかる投写装置において、前記第１光変調部および前記第２光変調部は一
体に形成されていることが好ましい。
【００１３】
このような構成によれば、光学部品を共用できるため、投写装置の小型化、軽量化およ
びコスト削減を図ることができる。
【００１４】
［適用例５］
上記適用例にかかる投写装置において、前記筐体を指示する指示位置を検出する検出部
と前記検出部が検出した前記指示位置に基づいて描画オブジェクトを生成する生成部と、
前記生成部が生成した前記描画オブジェクトの画像信号を前記第２画像信号として前記第
２変調光を前記筐体に投写させる制御部と、を備えることが好ましい。
【００１５】
このような構成によれば、筐体を指示する指示位置に基づいて描画オブジェクトを生成
し、生成した描画オブジェクトを筐体に投写できるため、筐体に所望のオブジェクトを容
易に描画することができる。
【００１６】
［適用例６］
上記適用例にかかる投写装置において、前記筐体の内部の温度を検出する温度検出部を
備え、前記温度検出部は、検出した温度が基準範囲を超える場合、前記第２投写部に警告
を示す情報を前記筐体に投写させることが好ましい。
【００１７】
このような構成によれば、筐体の内部の温度が基準範囲を超えた場合、警告を示す情報
を筐体に投写して周知させることができる。
【００１８】
［適用例７］
上記適用例にかかる投写装置において、計時する計時部を備え、前記計時部は、前記第
２投写部に時間に関する情報を前記筐体に投写させることが好ましい。
【００１９】
このような構成によれば、計時した時間に関する情報を筐体に投写して周知させること
ができる。
【図面の簡単な説明】
【００２０】
【図１】本発明の実施形態１に係るプロジェクターの斜視図。
【図２】本発明の実施形態１に係るプロジェクターの機能構成を示すブロック図。
【図３】本発明の実施形態１における光学ユニットの光学系の構成を示す図。
【図４】本発明の実施形態２における光学ユニットの光学系の構成を示す図。
【図５】本発明の実施形態３に係るプロジェクターの機能構成を示すブロック図。
【図６】外装筐体に手書き文字が投写されている状態を示す図。
【発明を実施するための形態】
【００２１】
以下、本発明の実施形態について図面を参照して説明する。
【００２２】
（実施形態１）
図１は、投写装置であるプロジェクター１０の斜視図である。本実施形態１のプロジェ
クター１０は、光源から射出される光束を画像信号に応じて変調し、画像信号に基づく画
像をスクリーンＳＣの投写面に拡大投写する電子機器である。プロジェクター１０は、外
装を構成する外装筐体１２、並びに、外装筐体１２内部に配設される光学ユニット５０（
図２）や電子回路（図示を略す）等を備える。
外装筐体１２は略直方体形状を有しており、外装筐体１２の前面１４ｃには、光学ユニ
ット５０の投写レンズ１６０（図３）が延出している。
尚、本実施形態１では、外装筐体１２の上面１４ａは、ポリカーボネート等の透光性を
有する材料から形成されると共に、例えば、乳白色に着色された状態になっている。
【００２３】
ユーザーは、図示を略した操作リモコンを操作して、スクリーンＳＣへの投写動作や投
写する画像の画質等を調整できる。更に、ユーザーは、この操作リモコンを操作して、外
装筐体１２の上面１４ａの任意の領域に所望する種々の色を外装筐体１２の内部から投写
させることができる。例えば、図１に示すように、乳白色に着色されている上面１４ａに
所定の色を投写することにより、ユーザーは、外装筐体１２の上面１４ａがカラーリング
されているように視認できる。
図２は、プロジェクター１０の機能構成を示すブロック図である。
プロジェクター１０は、画像入力部２０、画像処理部２２、第１変調駆動部２６、操作
部２８、記憶部３０、制御部３２、光源駆動部３４、第２変調駆動部３６、投写領域設定
駆動部３８、第２画像生成部４０および光学ユニット５０を備える。
【００２４】
また、光学ユニット５０は、機能部として、光源部５２、第１光変調部５４、第１投写
部５６、第２光変調部５８、第２投写部６０を備える。更に、第２投写部６０は、投写領
域設定部６２を備える。
操作部２８は、ユーザーの操作入力を受け付ける。本実施形態１では、ユーザーが操作
リモコンに配置されたボタンを押下すると、それに対応した操作信号が制御部３２に出力
される。
制御部３２は、プロジェクター１０の動作を統括制御する。この制御部３２は、何れも
図示を略した、マイコンやＣＰＵ（Central Processing Unit）の演算装置と、その動作
を規定する制御プログラム等で構成される。
【００２５】
画像入力部２０は、ＰＣ（Personal Computer）や映像再生装置等、図示しない外部の
画像供給装置とケーブルや無線を介して画像信号が入力される。
画像処理部２２は、制御部３２の指示に基づいて、画像入力部２０から入力された画像
信号に対して、フレーム毎に第１光変調部５４の解像度に合わせる解像度変換処理や、輝
度調整等の各種画質調整処理および各種画像処理を行う。
第１変調駆動部２６は、制御部３２の指示に基づいて、画像処理部２２から入力される
フレーム毎の画像信号（第１画像信号）に応じた駆動電圧を第１光変調部５４の各画素に
応じて印加し、第１光変調部５４を駆動させる。
第１光変調部５４は駆動電圧に応じた変調光（第１変調光）を生成する。
【００２６】
光源駆動部３４は、制御部３２の指示に基づいて、光源部５２から光束を射出されるべ
く、光源部５２に駆動電圧を印加する。
第２画像生成部４０は、制御部３２の指示に基づいて、第２投写部６０から投写する画
像を生成する。本実施形態１では、第２画像生成部４０は、記憶部３０に記憶されている
色データ等を参照し、ユーザーの指示に基づく色画像を生成する。この場合、色画像は単
色であっても良く、また、複数の色を配置した色パターンであっても良い。例えば、図１
に示すような所定の単色で投写する場合、第２画像生成部４０は、所定の色で全面を描画
するような色画像を生成する。
【００２７】
第２変調駆動部３６は、制御部３２の指示に基づいて、第２画像生成部４０から入力さ
れる画像信号（第２画像信号）に応じた駆動電圧を第２光変調部５８の各画素に応じて印
加し、第２光変調部５８を駆動させる。
第２光変調部５８は駆動電圧に応じた変調光（第２変調光）を生成する。
投写領域設定駆動部３８は、制御部３２の指示に基づいて、投写領域設定部６２を駆動
させる。投写領域設定部６２は、第２投写部６０が投写する投写領域を設定する機能を備
える。この投写領域設定部６２は、設定部に相当する。
図３は、本実施形態１における光学ユニット５０の光学系の構成を示す図である。
【００２８】
光学ユニット５０は、光源ユニット１１０、第１光変調ユニット１２０、第２光変調ユ
ニット２２０、投写領域設定装置２６８および投写レンズ１６０を備える。
光源ユニット１１０は、光束を射出するランプ１１１、レンズアレイ１１２，１１３、
偏光変換素子１１４、重畳レンズ１１５およびハーフミラー１１８を備える。尚、ハーフ
ミラー１１８の透過率は、反射率よりも大きく、スクリーンＳＣへの投写を明るくする態
様が好ましい。尚、光源ユニット１１０は光源部５２に相当する。
ランプ１１１から射出された光束は、レンズアレイ１１２，１１３や偏光変換素子１１
４により、光軸と直交する面内で照度が均一化され、ハーフミラー１１８により２つの光
束に分割される。一方の光束は第１光変調ユニット１２０に入射し、他方の光束は第２光
変調ユニット２２０に入射する。
【００２９】
ランプ１１１は、ハロゲンランプ、キセノンランプおよび超高圧水銀ランプ等の高輝度
で発光可能な光源を想定する。
第１光変調ユニット１２０は、ダイクロイックミラー１２１，１２３、反射ミラー１２
２，１３２，１３４、入射側レンズ１３１、リレーレンズ１３３、平行レンズ１３５、液
晶装置１４０Ｒ，１４０Ｇ，１４０Ｂおよびクロスダイクロイックプリズム１５０を備え
る。また、液晶装置１４０Ｒ，１４０Ｇ，１４０Ｂは、液晶パネル１４１、液晶パネル１
４１の両面にそれぞれ貼付された入射側偏光板１４２および出射側偏光板１４３で構成さ
れる。
【００３０】
本実施形態１では、液晶パネル１４１は、透過型の高温ポリシリコンＴＦＴパネルを用
いて構成されている。即ち、液晶パネル１４１は、それぞれ一対の透明基板間に液晶が封
入され、マトリクス状に配列された複数の画素が形成されており、液晶に対して画素毎に
駆動電圧が印加可能となっている。そして、画像信号に応じた駆動電圧が各画素に入力（
印加）されると、各画素は、画像信号に応じた光透過率に設定される。
このため、３つの色光に分離された各色光は、対応する液晶パネル１４１を透過するこ
とによって変調され、画像信号に応じた画像光（変調光）が色光毎に形成される。尚、第
１光変調ユニット１２０は第１光変調部５４に相当する。
第１光変調ユニット１２０に入射した一方の光束は、ダイクロイックミラー１２１，１
２３により赤色（Ｒ）光、緑色（Ｇ）光および青色（Ｂ）光の３色の色光に分離される。
分離された色光は、３つの液晶装置１４０Ｒ，１４０Ｇ，１４０Ｂにそれぞれ導光される
。
【００３１】
３つの液晶装置１４０Ｒ，１４０Ｇ，１４０Ｂに導光された色光は、第１変調駆動部２
６から送られる駆動信号に応じてそれぞれ変調される。液晶装置１４０Ｒ，１４０Ｇ，１
４０Ｂにより変調された各色光は、クロスダイクロイックプリズム１５０により合成され
、投写レンズ１６０に射出される。
投写レンズ１６０は、第１光変調ユニット１２０で変調され合成された光束を拡大して
スクリーンＳＣに投写する。この結果、入力された画像信号に基づいた投写画像がスクリ
ーンＳＣに表示される。
【００３２】
尚、投写レンズ１６０は、具体的には複数のレンズからなるレンズ群により構成される
。これらのレンズの位置を調整することにより、スクリーンＳＣ上の投写画像のフォーカ
ス調整および投写画像の拡大・縮小を調整するズーム調整が可能である。尚、投写レンズ
１６０は第１投写部５６に相当する。
第２光変調ユニット２２０は、ダイクロイックミラー２２１，２２３、反射ミラー２２
２，２３２，２３４、入射側レンズ２３１、リレーレンズ２３３、平行レンズ２３５、液
晶装置２４０Ｒ，２４０Ｇ，２４０Ｂおよびクロスダイクロイックプリズム２５０を備え
る。液晶装置２４０Ｒ，２４０Ｇ，２４０Ｂは、液晶パネル２４１、液晶パネル２４１の
両面にそれぞれ貼付された入射側偏光板２４２および出射側偏光板２４３で構成される。
尚、第２光変調ユニット２２０は第２光変調部５８に相当する。尚、これらは、第１光変
調ユニット１２０と同一の機能を有するため、説明は省略する。
【００３３】
第２光変調ユニット２２０に入射した一方の光束は、ダイクロイックミラー２２１，２
２３により赤色（Ｒ）光、緑色（Ｇ）光および青色（Ｂ）光の３色の色光に分離される。
分離された色光は、３つの液晶装置２４０Ｒ，２４０Ｇ，２４０Ｂにそれぞれ導光される
。
３つの液晶装置２４０Ｒ，２４０Ｇ，２４０Ｂに導光された色光は、第２変調駆動部３
６から送られる駆動信号に応じてそれぞれ変調される。液晶装置２４０Ｒ，２４０Ｇ，２
４０Ｂにより変調された各色光は、クロスダイクロイックプリズム２５０により合成され
、投写領域設定装置２６８に射出される。
【００３４】
投写領域設定装置２６８は、第２光変調ユニット２２０で変調され合成された光束を投
写する方向を切り替えることにより、外装筐体１２の上面１４ａにおける投写領域を設定
する。本実施形態１では、投写領域設定装置２６８は、回動機構２６５および反射ミラー
２６０を備える。
反射ミラー２６０は、光を反射する反射部材であり、クロスダイクロイックプリズム２
５０から射出される光束を受光可能な位置に配置され、回動機構２６５により回動可能に
構成されている。回動機構２６５は、本実施形態１では、ステップモーター（図示を略す
）の回転を利用し、回動角度は投写領域設定駆動部３８から送られるパルスにより決定さ
れる。ユーザーは、操作部２８を操作して指示することにより、回動機構２６５の回動角
度を指示できる。
【００３５】
反射ミラー２６０は指示された回動角度まで回動することにより、クロスダイクロイッ
クプリズム２５０から射出される光束を反射し、この光束が照射される外装筐体１２の上
面１４ａの領域を設定する。例えば、反射ミラー２６０が第１の回動角度まで回動するこ
とで、クロスダイクロイックプリズム２５０から射出される光束が外装筐体１２の上面１
４ａの第１の領域に照射されるように設定し、反射ミラー２６０が第２の回動角度まで回
動することで、クロスダイクロイックプリズム２５０から射出される光束が外装筐体１２
の上面１４ａの、第１の領域とは異なる第２の領域に照射されるように設定する。
本実施形態１では、反射ミラー２６０は平面ミラーを想定するが、例えば、広域に反射
可能な凸面ミラーや、拡散させて反射する拡散板も想定できる。また、反射ミラー２６０
の曲率を段階的に変化させることにより、回動角度に応じて照射する領域の場所や大きさ
を可変する態様も想定できる。尚、反射ミラー２６０及び回動機構２６５は、第２投写部
６０に相当し、かつ、投写領域設定部６２に相当する。
【００３６】
以上述べた実施形態１によれば、以下のような効果を奏する。
（１）ユーザーの指示に基づいて、反射ミラー２６０の回動角度を変化させることによ
り、外装筐体１２をカラーリングする領域を容易に変更できるため、外装筐体１２のデザ
インの自由度を向上させることができる。
【００３７】
（実施形態２）
次に、本発明の実施形態２について、図４を参照して説明する。尚、以下の説明では、
既に説明した部分と同じ部分については、同一符号を付してその説明を省略する。
図４は、本実施形態２における光学ユニット５０の光学系の構成を示す図である。実施
形態１では、投写画像を生成する第１光変調ユニット１２０と、照射光を生成する第２光
変調ユニット２２０の２つの光変調ユニットを備えたが、本実施形態２では、第１光変調
ユニット１２０が投写画像および照射光を生成する。即ち、第１光変調部５４および第２
光変調部５８が一体に形成されている。
【００３８】
液晶装置１４０Ｒ，１４０Ｇ，１４０Ｂを構成する液晶パネル１４１、入射側偏光板１
４２および出射側偏光板１４３は、それぞれ一方の側、即ち、クロスダイクロイックプリ
ズム１５０で１つに合成される方向に延伸させた態様を有している。
液晶装置１４０Ｒ，１４０Ｇ，１４０Ｂは、各光軸を中心とした矩形領域において、第
１変調駆動部２６から送られる駆動信号に応じた変調を行うことにより、投写画像に応じ
た色光を生成する。生成された各色光は、クロスダイクロイックプリズム２５０により合
成され、投写レンズ１６０に射出される。投写レンズ１６０は、入射する光束を拡大し、
投写画像をスクリーンＳＣに投写する。
【００３９】
更に、液晶装置１４０Ｒ，１４０Ｇ，１４０Ｂは、延伸したことにより生じる液晶パネ
ル１４１の各領域１４５Ｒ，１４５Ｇ，１４５Ｂを使って、第２変調駆動部３６から送ら
れる駆動信号に応じた変調を行うことにより、照射光に応じた色光を生成する。
生成された各色光は、クロスダイクロイックプリズム２５０により合成されて光束を形
成し、投写画像の色光と同一の方向に射出される。射出された光束の光軸上には、光束を
投写領域設定装置２６８に案内するミラー２５５が配置されている。従って、射出された
光束は、このミラー２５５により反射された後、投写領域設定装置２６８に入射し、照射
光として外装筐体１２を照射する。
【００４０】
以上述べた実施形態２によれば、実施形態１で述べた（１）の効果に加え、以下のよう
な効果を奏する。
（２）投写画像および照射光を１つの光変調ユニットで生成するため、光変調ユニット
を２つ具備する場合と比較して、軽量化や小型化を図れることに加え、プロジェクター１
０の製造コストを低減できる。
【００４１】
（実施形態３）
次に、本発明の実施形態３について、図５および図６を参照して説明する。
図５は、実施形態３に係るプロジェクター１０の機能構成を示すブロック図である。実
施形態１では、第２投写部６０は、外装筐体１２に照射光を選択的に照射してプロジェク
ター１０をカラーリングしたが、本実施形態３では、ユーザーが入力した文字情報等を更
に外装筐体１２に投写する。
即ち、このプロジェクター１０は、位置入力装置７０および手書き入力部４５を備える
。位置入力装置７０は、透明電極等で形成されたタッチパッドのように指やスタイラスペ
ン等で指示可能なデバイスであり、外装筐体１２の上面１４ａに貼付されている。位置入
力装置７０が検出した指示位置に関する情報は手書き入力部４５に送られる。
【００４２】
手書き入力部４５は、位置入力装置７０から送られる指示位置に関する情報に基づいて
、指示位置の軌跡を算出し、算出した軌跡に関する情報を第２画像生成部４０に送る。尚
、手書き入力部４５は、検出部に相当する。
第２画像生成部４０は、制御部３２の指示に基づいて描画オブジェクトを生成する。本
実施形態３では、描画オブジェクトは、軌跡に基づく手書きの文字や図面等を想定する。
生成された描画オブジェクトは、第２投写部６０により外装筐体１２の上面１４ａに投写
される。第２画像生成部４０は生成部に相当する。
図６は、外装筐体１２の上面１４ａに描画オブジェクトが投写されている状態を示して
いる。この場合、描画オブジェクトはユーザーの手指ＷＴの移動に基づく手書き文字を示
し、外装筐体１２の上面１４ａにおいて位置入力装置７０が貼付された領域に投写されて
いる。尚、投写位置は、ユーザーが操作部２８を操作して所望の場所に変更しても良い。
【００４３】
ところで、実施形態３では、描画オブジェクトを投写する領域に描画オブジェクトの色
光を結像させる必要がある。従って、合成した色光を射出するクロスダイクロイックプリ
ズム２５０の後段には、結像光学系（図示は略す）が付加される。結像光学系は、投写レ
ンズ１６０のような態様であっても良く、また、反射ミラー２６０に凹面状の領域を設け
、凹面による集光作用を利用して結像させても良い。また、反射ミラー２６０は、ポリゴ
ンミラーのように複数の反射面を有して形成され、各面が平面状、凸面状および凹面状の
何れかで曲率が異なり、制御部３２の指示に基づいて使用する反射面を切り替える態様も
想定できる。
【００４４】
以上述べた実施形態３によれば、実施形態１で述べた（１）の効果に加え、以下のよう
な効果を奏する。
（３）位置入力装置７０および手書き入力部４５を備えるため、プロジェクター１０の
外装筐体１２へのカラーリングに加えて、手書きにより入力した文字や図形等を外装筐体
１２に投写できる。これにより、外装筐体１２のデザインの自由度を更に向上させること
ができる。
【００４５】
以上、本発明を図示した実施形態１〜３に基づいて説明したが、本発明は、これらの実
施形態に限定されるものではなく、以下に述べるような変形例も想定できる。
（１）光束を照射光として照射する領域の場所や大きさをダイナミックに変化させるべ
く、反射ミラー２６０で反射した反射光を受光可能な位置に、光ファイバーを束ねた導光
部材の一方の端部（入射面）を配置し、各光ファイバーの他方の端部（出射面）を外装筐
体１２の上面１４ａに分散させて配置する態様も想定できる。
（２）回動角度を調整することにより、照射光を照射する対象を外装筐体１２の上面１
４ａに限定することなく、側面１４ｅや底面１４ｂ等の他の面を照射対象とする態様も想
定できる。
【００４６】
（３）制御部３２は、投写領域設定駆動部３８を指示し、決められた時間毎に反射ミラ
ー２６０を回動させる態様も想定できる。
（４）投写領域設定駆動部３８は、投写領域設定装置２６８の反射ミラー２６０を高速
に回動させることで、広域に亘り照射されているように視認させることができる。
（５）制御部３２は、決められた時間毎に、外装筐体１２に照射する照射光の色を変化
させる態様も想定できる。
【００４７】
（６）制御部３２は、プロジェクター１０の内部温度やランプ１１１に関する温度変化
を検出する温度検出部（図示は略す）を有し、基準範囲を超えて何らかの異変を検知した
場合、第２投写部６０に色や文字での警告を外装筐体１２に表示させる態様も想定できる
。
（７）制御部３２は、タイマーのような経過時間や残時間を管理する計時部（図示は略
す）を有し、第２投写部６０に経過時間に関する情報を外装筐体１２に表示させる態様も
想定できる。
【００４８】
（８）実施形態３において、位置入力装置７０はプロジェクター１０内部に組み込まれ
る態様には限定されない。例えば、外部からプロジェクター１０を撮影可能な位置に設置
されたデジタルカメラがユーザーの指示位置を撮影し、撮影した画像情報をプロジェクタ
ー１０に送信しても良い。また、プロジェクター１０が、自身の外装筐体１２を示す画像
をスクリーンＳＣに投写し、ユーザーが投射した画像を指示する位置を内蔵するデジタル
カメラで撮影しても良い。
（９）尚、第１光変調部５４や第２光変調部５８は、液晶パネル１４１，２４１を用い
た方式には限定されず、ＤＬＰ（Ｄｉｇｉｔａｌ  Ｌｉｇｈｔ  Ｐｒｏｃｅｓｓｉｎｇ）
方式やＬＣＯＳ（Ｌｉｑｕｉｄ  Ｃｒｙｓｔａｌ  Ｏｎ  Ｓｃｒｅｅｎ）方式等の他の方
式も想定できる。
【００４９】
また、以上のような手法を実施する装置は、単独の装置によって実現される場合もあれ
ば、複数の装置を組み合わせることによって実現される場合もあり、各種の態様を含むも
のである。
また、図２に示したプロジェクター１０の各機能部は、ハードウェアとソフトウェアと
の協働により実現される機能的構成を示すものであって、具体的な実装形態は特に制限さ
れない。従って、必ずしも各機能部に個別に対応するハードウェアが実装される必要はな
く、一つのプロセッサーがプログラムを実行することで複数の機能部の機能を実現する構
成とすることも勿論可能である。また、上記実施形態においてソフトウェアで実現される
機能の一部をハードウェアで実現してもよく、あるいは、ハードウェアで実現される機能
の一部をソフトウェアで実現してもよい。その他、プロジェクター１０の他の各部の具体
的な細部構成についても、本発明の趣旨を逸脱しない範囲で任意に変更可能である。
【符号の説明】
【００５０】
１０…プロジェクター、１２…外装筐体、１４ａ…上面、１４ｂ…底面、１４ｃ…前面
、１４ｅ…側面、２０…画像入力部、２２…画像処理部、２６…第１変調駆動部、２８…
操作部、３０…記憶部、３２…制御部、３４…光源駆動部、３６…第２変調駆動部、３８
…投写領域設定駆動部、４０…第２画像生成部、４５…手書き入力部、５０…光学ユニッ
ト、５２…光源部、５４…第１光変調部、５６…第１投写部、５８…第２光変調部、６０
…第２投写部、６２…投写領域設定部、７０…位置入力装置、１１０…光源ユニット、１
１１…ランプ、１１２，１１３…レンズアレイ、１１４…偏光変換素子、１１５…重畳レ
ンズ、１１８…ハーフミラー、１２０…第１光変調ユニット、１２１，１２３…ダイクロ
イックミラー、１２２，１３２，１３４…反射ミラー、１３１…入射側レンズ、１３３…
リレーレンズ、１３５…平行レンズ、１４０Ｒ，１４０Ｇ，１４０Ｂ…液晶装置、１４１
…液晶パネル、１４２…入射側偏光板、１４３…出射側偏光板、１４５Ｒ，１４５Ｇ，１
４５Ｂ…領域、１５０…クロスダイクロイックプリズム、１６０…投写レンズ、２２０…
第２光変調ユニット、２２１，２２３…ダイクロイックミラー、２２２，２３２，２３４
…反射ミラー、２３１…入射側レンズ、２３３…リレーレンズ、２３５…平行レンズ、２
４０Ｒ，２４０Ｇ，２４０Ｂ…液晶装置、２４１…液晶パネル、２４２…入射側偏光板、
２４３…出射側偏光板、２５０…クロスダイクロイックプリズム、２５５…ミラー、２６
０…反射ミラー、２６５…回動機構、２６８…投写領域設定装置、ＳＣ…スクリーン。
【図１】
2016173453.tif 000003
【図２】
2016173453.tif 000004
【図３】
2016173453.tif 000005
【図４】
2016173453.tif 000006
【図５】
2016173453.tif 000007
【図６】
2016173453.tif 000008